(57)【要約】【課題】固定時間記録モードにおいて、バッテリーの残量時間表示を記録可能なシーン数で表示することで、現在のバッテリーで何回の固定時間記録、すなわちスナップムービー撮影ができるかを容易に確認できるようにする。【解決手段】録画ボタンが操作されると撮像部で撮像された映像の記録を開始し、予め決められた所定記録時間の経過後に自動で記録を停止して、当該所定記録時間の映像を１シーンとして記録媒体に記録する固定時間記録の処理において、先ずステップＳ２０２でバッテリーの残容量を検出する。次にステップＳ２０３で前記検出されたバッテリーの残容量を基に映像の記録可能時間を算出する。次にステップＳ２０４で前記算出した記録可能時間と前記予め決められた所定記録時間とに基づいて、固定時間記録で記録可能なシーン数を算出する。そしてステップＳ２０５で前記算出された記録可能なシーン数を表示装置に表示する。【選択図】  図２
2010124143.tif 000002
【特許請求の範囲】
【請求項１】
操作部の操作に応じて撮像部で撮像した映像を記録する画像処理装置であって、
前記操作部が操作されると前記撮像部で撮像された映像の記録を開始し、予め決められた所定記録時間の経過後に自動で記録を停止して、当該所定記録時間の映像を１シーンとして記録媒体に記録する固定時間記録手段と、
当該画像処理装置を駆動するための電源を供給するバッテリーと、
前記バッテリーの残容量を検出するバッテリー残容量検出手段と、
前記検出されたバッテリーの残容量を基に、映像の記録可能時間を算出する記録可能時間算出手段と、
前記算出した記録可能時間と前記予め決められた所定記録時間とに基づいて、前記固定時間記録手段で記録可能なシーン数を算出する記録可能シーン算出手段と、
前記記録可能シーン算出手段で算出された記録可能なシーン数を表示装置に表示する表示制御手段とを備えたことを特徴とする画像処理装置。
【請求項２】
前記操作部が操作されると前記撮像部で撮像された映像の記録を開始し、再度、前記操作部が操作されると当該映像の記録を停止して、映像を記録媒体に記録する通常記録手段と、
前記固定時間記録手段又は前記通常記録手段のいずれかで映像を記録するかを選択可能とする選択手段とを更に備え、
前記表示制御手段は、前記選択手段での選択に応じて、前記記録可能時間又は前記記録可能なシーン数を前記表示装置に表示することを特徴とする請求項１に記載の画像処理装置。
【請求項３】
前記表示制御手段は、前記選択手段で前記通常記録手段が選択されているときには、前記記録可能時間を表示し、前記選択手段で前記固定時間記録手段が選択されているときには、前記記録可能なシーン数を表示することを特徴とする請求項２に記載の画像処理装置。
【請求項４】
前記表示制御手段は、前記選択手段での選択によらず、前記記録可能時間及び前記記録可能なシーン数を前記表示装置に表示することを特徴とする請求項２に記載の画像処理装置。
【請求項５】
前記記録可能シーン算出手段は、前記記録可能時間を、前記予め決められた所定記録時間で除算することによって、前記記録可能なシーン数を算出することを特徴とする請求項１に記載の画像処理装置。
【請求項６】
前記記録可能シーン算出手段は、前記記録可能時間を、前記予め決められた所定記録時間に任意の時間を加えた時間で除算することによって、前記記録可能なシーン数を算出することを特徴とする請求項１に記載の画像処理装置。
【請求項７】
操作部の操作に応じて撮像部で撮像した映像を記録する画像処理装置であり、前記操作部が操作されると前記撮像部で撮像された映像の記録を開始し、予め決められた所定記録時間の経過後に自動で記録を停止して、当該所定記録時間の映像を１シーンとして記録媒体に記録する固定時間記録手段と、当該画像処理装置を駆動するための電源を供給するバッテリーと、前記バッテリーの残容量を検出するバッテリー残容量検出手段と、前記検出されたバッテリーの残容量を基に、映像の記録可能時間を算出する記録可能時間算出手段とを備えた画像処理装置の制御方法であって、
前記算出した記録可能時間と前記予め決められた所定記録時間とに基づいて、前記固定時間記録手段で記録可能なシーン数を算出する記録可能シーン算出ステップと、
前記記録可能シーン算出ステップで算出された記録可能なシーン数を表示装置に表示する表示制御ステップとを有することを特徴とする画像処理装置の制御方法。
【請求項８】
操作部の操作に応じて撮像部で撮像した映像を記録する画像処理装置であり、前記操作部が操作されると前記撮像部で撮像された映像の記録を開始し、予め決められた所定記録時間の経過後に自動で記録を停止して、当該所定記録時間の映像を１シーンとして記録媒体に記録する固定時間記録手段と、当該画像処理装置を駆動するための電源を供給するバッテリーと、前記バッテリーの残容量を検出するバッテリー残容量検出手段と、前記検出されたバッテリーの残容量を基に、映像の記録可能時間を算出する記録可能時間算出手段とを備えた画像処理装置の制御をコンピュータに実行させるためのプログラムであって、
前記算出した記録可能時間と前記予め決められた所定記録時間とに基づいて、前記固定時間記録手段で記録可能なシーン数を算出する記録可能シーン算出ステップと、
前記記録可能シーン算出ステップで算出された記録可能なシーン数を表示装置に表示する表示制御ステップとをコンピュータに実行させるためのプログラム。
【発明の詳細な説明】
【技術分野】
【０００１】
本発明は、録画操作時に予め決められた所定時間だけ映像を記録する固定時間記録で映像を記録する画像処理装置等に関するものである。
【背景技術】
【０００２】
近年、動画像を記録する装置として、従来から知られている磁気テープに加え、ＤＶＤやＨＤＤ（ハードディスクドライブ）、半導体メモリ等のランダムアクセス可能な記録媒体を使ったデジタルビデオカメラ（以下、ＤＶＣ）が普及している。また、静止画記録用として使われるデジタルスチルカメラ（以下、デジタルカメラ）においても、動画像を記録できる機能を持ったものが多くなってきている。
【０００３】
これらの機器の特徴として、記録媒体へのランダムアクセスが可能で、かつパーソナルコンピュータ（以下、ＰＣ）等の他のデジタル機器との親和性が高い点が挙げられる。このような特徴により、ＤＶＣやデジタルカメラでは、短時間の動画ファイル（以下、スナップムービー）を作り、電子メール等に添付して送信したり、Ｗｅｂページ上にアップロードして公開したりすること等を容易に行うことができるようになっている。
【０００４】
また、ＤＶＣやデジタルカメラの動画記録モードとしては、所謂、通常撮影モード（以下、通常記録モード）や固定時間撮影モード（以下、固定時間記録モード）があり、これらを選択可能な機器が知られている（特許文献１、特許文献２を参照のこと）。通常記録モードとは、記録媒体の容量が許す限りユーザの指示があるまで連続して記録を行うモードであり、固定時間記録モードとは、スナップムービーの作成を目的として、記録開始から所定時間（例えば５秒間等）後に自動的に記録を停止するモードである。
【０００５】
一方で、バッテリーで駆動させるＤＶＣやデジタルカメラにおいては、バッテリーからの供給電力の残容量を表示させる技術が多く提案されている。例えば、記録メディアの空き容量から記録可能時間を表示すると共に、バッテリーの残容量から電力供給可能時間を表示する技術等が提案されている（特許文献３を参照のこと）。
【０００６】
【特許文献１】特開平６−１５３０２８号公報
【特許文献２】特開平７−１５６９３号公報
【特許文献３】特開平１１−３４１４１１号公報
【発明の開示】
【発明が解決しようとする課題】
【０００７】
しかしながら、従来のＤＶＣやデジタルカメラでは、バッテリー残容量の表示は図９（ａ）〜（ｅ）に示すような３分割や４分割程度の簡易なマーク表示等であり、ユーザに大まかな目安のみが提示されるようなものが主流であった。あるいは、せいぜいバッテリーからの電力供給可能な時間が表示されるものが僅かにある程度であった。
【０００８】
そのため、スナップムービーのような所定時間記録する固定時間記録モードで撮影している場合でも、撮影者であるユーザは現在のバッテリー状態であと何回のシーン数を撮影できるのかが瞬時にはわからなかった。この場合、ユーザは、バッテリーの残時間からあと何回程度の固定時間記録、すなわちスナップムービー撮影ができるかを計算して判断しなければならなかった。なお、１シーンとは、固定時間記録モードで記録された所定記録時間の映像の一単位を意味する。
【０００９】
本発明は上記問題点を鑑みて、固定時間記録モードにおいて、バッテリーの残量時間表示を記録可能なシーン数で表示することで、現在のバッテリーで何回の固定時間記録、すなわちスナップムービー撮影ができるかを容易に確認できるようにする。
【課題を解決するための手段】
【００１０】
本発明に係る画像処理装置は、操作部の操作に応じて撮像部で撮像した映像を記録する画像処理装置であって、前記操作部が操作されると前記撮像部で撮像された映像の記録を開始し、予め決められた所定記録時間の経過後に自動で記録を停止して、当該所定記録時間の映像を１シーンとして記録媒体に記録する固定時間記録手段と、当該画像処理装置を駆動するための電源を供給するバッテリーと、前記バッテリーの残容量を検出するバッテリー残容量検出手段と、前記検出されたバッテリーの残容量を基に、映像の記録可能時間を算出する記録可能時間算出手段と、前記算出した記録可能時間と前記予め決められた所定記録時間とに基づいて、前記固定時間記録手段で記録可能なシーン数を算出する記録可能シーン算出手段と、前記記録可能シーン算出手段で算出された記録可能なシーン数を表示装置に表示する表示制御手段とを備えたことを特徴とする。
また、本発明に係る画像処理装置の制御方法は、操作部の操作に応じて撮像部で撮像した映像を記録する画像処理装置であり、前記操作部が操作されると前記撮像部で撮像された映像の記録を開始し、予め決められた所定記録時間の経過後に自動で記録を停止して、当該所定記録時間の映像を１シーンとして記録媒体に記録する固定時間記録手段と、当該画像処理装置を駆動するための電源を供給するバッテリーと、前記バッテリーの残容量を検出するバッテリー残容量検出手段と、前記検出されたバッテリーの残容量を基に、映像の記録可能時間を算出する記録可能時間算出手段とを備えた画像処理装置の制御方法であって、前記算出した記録可能時間と前記予め決められた所定記録時間とに基づいて、前記固定時間記録手段で記録可能なシーン数を算出する記録可能シーン算出ステップと、前記記録可能シーン算出ステップで算出された記録可能なシーン数を表示装置に表示する表示制御ステップとを有することを特徴とする。
また、本発明に係るプログラムは、操作部の操作に応じて撮像部で撮像した映像を記録する画像処理装置であり、前記操作部が操作されると前記撮像部で撮像された映像の記録を開始し、予め決められた所定記録時間の経過後に自動で記録を停止して、当該所定記録時間の映像を１シーンとして記録媒体に記録する固定時間記録手段と、当該画像処理装置を駆動するための電源を供給するバッテリーと、前記バッテリーの残容量を検出するバッテリー残容量検出手段と、前記検出されたバッテリーの残容量を基に、映像の記録可能時間を算出する記録可能時間算出手段とを備えた画像処理装置の制御をコンピュータに実行させるためのプログラムであって、前記算出した記録可能時間と前記予め決められた所定記録時間とに基づいて、前記固定時間記録手段で記録可能なシーン数を算出する記録可能シーン算出ステップと、前記記録可能シーン算出ステップで算出された記録可能なシーン数を表示装置に表示する表示制御ステップとをコンピュータに実行させるためのプログラムである。
【発明の効果】
【００１１】
本発明によれば、バッテリーの残容量に応じて、何回の固定時間記録、すなわちスナップムービー撮影ができるかを容易に確認することができる。
【発明を実施するための最良の形態】
【００１２】
以下、本発明の実施の形態について説明する。
（第１の実施の形態）
図１は、本発明の第１の実施の形態に係る画像処理装置である撮像装置のシステム構成を示すブロック図である。本実施の形態に係る撮像装置は、通常記録モードによる映像の記録及び固定時間記録モードによる映像の記録を選択可能な機器として構成される。
【００１３】
図１において、１０１は光学的な被写体像を撮像機器に取り込むためのレンズであり、変倍を行う変倍レンズ群、焦点調整を行うフォーカスレンズ群、明るさを変える絞り等からなる。１０２は被写体の光学像を電気信号に変換するＣＣＤやＣＭＯＳ等の撮像素子である。
【００１４】
１０３はカメラ映像信号生成回路であり、アナログ信号処理回路とデジタル信号処理回路とを含む。アナログ信号処理回路は、撮像素子１０２で得られた信号に所定の処理を施してアナログ撮像信号を生成するものである。アナログ信号処理回路は、例えばＣＤＳ（co-related double sampling：相関二重サンプリング）回路、ＡＧＣ（Automatic Gain Control）回路等から構成される。デジタル信号処理回路は、Ａ／Ｄ変換器によりアナログ撮像信号をデジタル信号に変換し、ガンマ補正、ホワイトバランス等、所定の信号処理をしたデジタル映像信号を生成する。なお、レンズ１０１、撮像素子１０２、カメラ映像信号生成回路１０３を含む構成は、本発明でいう撮像部の一構成例に対応するものである。
【００１５】
１０４は記録部であり、カメラ映像信号生成回路１０３で処理されたデジタル映像信号をＭＰＥＧ等の符号化方式で圧縮符号化する符号化回路と、符号化した信号を磁気テープやＤＶＤ、ＨＤＤ、半導体メモリ等の記録媒体に記録する記録回路で構成される。
【００１６】
１０５はシステム全体を制御するマイクロコンピュータ（以下、マイコン）である。１０６は本発明でいう操作部に対応する録画ボタンであり、ユーザが録画開始時に操作する。マイコン１０５は、録画ボタン１０６が操作されたか否かを検出し、操作を検出したときに固定時間記録モードの記録動作を実行する。
【００１７】
固定時間記録モードは、所謂スナップムービー撮影を行うモードであり、記録開始から所定記録時間（例えば５秒間等）後に自動的に記録を停止するモードである。固定時間記録モードでは、録画ボタン１０６は、記録部１０４に記録を開始させる記録開始命令をマイコン１０５に送り、マイコン１０５は、記録開始から予め決められた所定記録時間の経過後に記録部１０４に記録を停止させる記録停止命令を送る。なお、ここでの記録部１０４の処理は、本発明でいう固定時間記録手段の一処理例に対応するものである。
【００１８】
マイコン１０５はまた、バッテリー１１１の残容量を検出し、記録可能時間を算出すると共に、固定時間記録モードでの記録可能なシーン数を算出し、算出した記録可能なシーン数を表示する表示命令を表示信号生成回路１０７に送る。なお、マイコン１０５によって実行される制御処理についての詳細な説明は後述する。またここでシーンとは、固定時間記録で記録された所定記録時間の映像の一単位を意味し、記録可能なシーン数とは、バッテリー１１１の残容量に応じて、何回分の固定時間記録ができるかを示す数である。また、ここで説明したマイコン１０５による処理は、本発明でいうバッテリー残容量検出手段、記録可能時間算出手段、記録可能シーン算出手段、表示制御手段の一処理例に対応するものである。
【００１９】
１０７は表示信号生成回路であり、撮影状態や記録時間等のカメラ情報の文字キャラクタ信号を、ユーザに通知するために生成する。マイコン１０５で算出された録画可能シーン数もこの表示信号生成回路１０７で文字キャラクタ信号に変換する。
【００２０】
１０８はカメラ映像信号生成回路１０３で生成された映像信号と表示信号生成回路１０７で生成された文字キャラクタ信号を合成させるミックス回路である。１０９はミックス回路１０８で合成された信号を出力させるモニタ出力回路である。１１０は電子ビューファインダー（ＥＶＦ）や液晶パネル（ＬＣＤ）等の表示装置であり、モニタ出力回路１０９からの出力信号を表示する。
【００２１】
１１１は電力源となるバッテリーであり、本撮像装置の各回路を駆動するために電源を供給する。バッテリー１１１の残容量の情報は、マイコン１０５に常にあるいは一定周期で通知されている。
【００２２】
次に、本実施の形態に係る撮像装置においてシステム全体を制御するマイコン１０５の動作を説明する。図２は、固定時間記録モード、すなわちスナップムービー撮影モードにおいて、記録可能なシーン数を算出及び表示する動作について説明するフローチャートである。
【００２３】
ステップＳ２０１は本フローの開始を示している。本フローは、例えば映像の垂直同期信号等、一定の周期タイミングで繰返し実行処理される。
【００２４】
処理が実行されると先ずステップＳ２０２においてマイコン１０５は、バッテリー１１１の残容量を検出する。
【００２５】
次にステップＳ２０３においてマイコン１０５は、ステップＳ２０２で検出したバッテリー１１１の残容量から記録可能時間を算出する。記録可能時間の算出方法については後述する。
【００２６】
次にステップＳ２０４においてマイコン１０５は、固定時間記録モードの一回の録画ボタン操作時にスナップムービー撮影される１シーンの予め決められた所定記録時間と、ステップＳ２０３で算出した記録可能時間とに基づいて記録可能なシーン数を算出する。記録可能なシーン数の算出方法については後述する。
【００２７】
次にステップＳ２０５においてマイコン１０５は、ステップＳ２０４で算出した記録可能なシーン数の表示命令を表示信号生成回路１０７に送り、モニタ出力回路１０９を介して表示装置１１０に表示させる。
【００２８】
ここで、ステップＳ２０３で処理される記録可能時間の算出方法について説明する。ここでは、ステップＳ２０２で検出したバッテリー１１１の残容量が８００ｍＡｈであり、そのときのバッテリー電圧が７．４Ｖであったとする。この場合、電力時間の残量（残電力時間）は、次式（１）から５．９２Ｗｈとなる。
【００２９】
残電力時間（Ｗｈ）＝バッテリー残容量（ｍＡｈ）×バッテリー電圧（Ｖ）・・・（１）
【００３０】
そして、このときの消費電力を３．８Ｗとすると、現在のバッテリー１１１による記録可能時間は次式（２）から算出でき、１．５６ｈ（時間）となる。
【００３１】
記録可能時間（ｈ）＝残電力時間（Ｗｈ）／消費電力（Ｗ）・・・（２）
【００３２】
なお、消費電力は録画時の記録画質モード等によって異なった値になる。従って、バッテリー１１１の残容量から式（１）、式（２）を用いて算出される記録可能時間は、撮影時に設定されている記録画質モードが異なれば、異なる時間が算出される。
【００３３】
次にステップＳ２０４で処理される記録可能なシーン数の算出方法について説明する。ここでは、ステップＳ２０３で算出した記録可能時間が１．５ｈであったとし、固定時間記録モードの一回の録画操作で記録されるスナップムービーの１シーンの所定記録時間を５秒とする。この場合、記録可能シーン数は、次式（３）から１０８０シーンと算出できる。
【００３４】
記録可能シーン数（シーン）＝記録可能時間（ｈ）／１シーン所定記録時間（sec）・・・（３）
【００３５】
なお、記録可能なシーン数の算出において、式（３）では、記録可能時間を、１シーンの所定記録時間で除算して算出する方法を示した。しかし、実際の撮像装置の使用状況を考慮すると、録画せずに録画待機状態で保持されている時間もある。そこで、記録可能なシーン数の算出は、固定時間記録の間の待機時間を考慮して、次式（４）を用いた算出方法にすることも可能である。
【００３６】
記録可能シーン数（シーン）＝記録可能時間（ｈ）／（１シーン所定記録時間（sec）＋待機時間（sec））・・・（４）
【００３７】
待機時間の設定については、予め任意に数秒間から数分間程度の値（固定値）を設定しておいてもよいし、ユーザの撮影状況に基づいて、後から任意に決定してもよい。ここで、撮影者の撮影状況に基づいて後から設定する方法としては、本システム使用時に録画停止している録画待機時間をマイコン１０５で計測し、計測した待機時間から平均値あるいは最大値等を求め、上記の式（４）の待機時間として設定することが可能である。なお、式（４）において、待機時間の値を０とすれば式（３）と同等になることは明白である。
【００３８】
図３は、本実施の形態に係る撮像装置において記録可能なシーン数をモニタ表示した表示画像の一例を示した図である。本図に示すように、図２で説明した処理により、表示装置１１０の適所に録画可能なシーン数を表示することができる。
【００３９】
以上、本実施の形態では、所定時間後に自動で記録停止する固定時間記録モードにおいて、バッテリー１１１の残量時間表示を記録可能なシーン数で表示するようにした。これにより、ユーザは現在のバッテリー１１１であと何回の固定時間記録、すなわちスナップムービー撮影できるかを容易に確認することが可能となった。
【００４０】
（第２の実施の形態）
次に、本発明の第２の実施の形態について説明する。上述した第１の実施の形態では、固定時間記録モードで録画ボタンを操作することで記録開始してから予め決められた所定時間後に自動で記録が停止する撮影動作において、バッテリーの残容量から記録可能なシーン数を算出して表示することについて説明した。第２の実施の形態では、撮影モード切替スイッチを備えた撮像装置について説明する。
【００４１】
本実施の形態では撮影モード切替スイッチを備えることで、通常記録モードと固定時間記録モードとを選択的に切り換えられるようにし、選択された撮影モードに応じて記録可能時間又は記録可能なシーン数を表示するようにする。なお、通常記録モードは、録画ボタンが操作される毎に記録と記録停止とを交互に切り替えるモード、つまり録画ボタンの操作で記録開始をし、再度、録画ボタンの操作がされると記録を停止するモードである。また、固定時間撮影モードは、録画ボタン操作によって記録開始してから予め決められた所定記録時間の経過後に自動で記録停止するモードである。
【００４２】
図４は、本実施の形態に係る撮像装置のシステム構成を示すブロック図である。本実施の形態に係るシステム構成において第１の実施の形態と相違する点は、撮影モード切換スイッチ４０１を有する点にあり、その他の構成は基本的に第１の実施の形態と同様である。以下の説明では、第１の実施の形態と同様の構成については同一の符号で示すものとし、一部の説明は割愛するものとする。
【００４３】
図４において、４０１は撮影モード切換スイッチであり、ユーザが切り換え操作することで撮影モードを、通常記録モード又は固定時間記録モードに設定できる。なお、撮影モードには、この２つのモード以外に別のモードがあってもかまわない。
【００４４】
システム全体を制御するマイクロコンピュータ（マイコン）１０５は、本実施の形態では次に説明する処理を行う。
【００４５】
マイコン１０５が行う処理の一つ目は、撮影モード切換スイッチ４０１で選択されている撮影モードを判別し、判別結果に応じて通常記録モードで記録するか固定時間記録モードで記録するかを決定する。
【００４６】
二つ目は、録画ボタン１０６が操作されたか否かを検出し、操作されたときには、撮影モードの判別結果に応じて、通常記録モード又は固定時間記録モードの記録動作を実行することである。すなわち、録画ボタン１０６の操作を検出すると記録部１０４に記録開始命令を送って記録を開始させ、通常記録モードであれば録画ボタン１０６が再び操作されるまで記録を停止させる記録停止命令は送らないようにする。また、固定時間記録モードであれば記録開始から予め決められた所定時間後に記録停止命令を送るようにする。なお、通常記録モードで記録部１０４が映像を記録する処理は、本発明でいう通常記録手段の一処理例に対応するものである。
【００４７】
三つ目は、バッテリー１１１の残容量を検出し、記録可能時間を算出すると共に、選択されている撮影モードに応じて、表示内容を記録可能時間又は算出した記録可能なシーン数に切り換えて表示命令を表示信号生成回路１０７に送る。なお、マイコン１０５によって実行される制御処理についての詳細な説明は後述する。
【００４８】
次に、本実施の形態に係る撮像装置においてシステム全体を制御するマイコン１０５の動作を説明する。図５は、本実施の形態に係る撮像装置において、通常記録モード又は固定時間記録モードに応じて、記録可能時間又は記録可能なシーン数を算出及び表示する動作について説明するフローチャートである。
【００４９】
ステップＳ５０１は本フローの開始を示している。本フローは、例えば映像の垂直同期信号等、一定の周期タイミングで繰返し実行処理される。
【００５０】
処理が実行される先ずステップＳ５０２においてマイコン１０５は、バッテリー１１１の残容量を検出する。
【００５１】
次にステップＳ５０３においてマイコン１０５は、ステップＳ５０２で検出したバッテリーの残容量から記録可能時間を算出する。記録可能時間の算出方法については後述する。
【００５２】
次にステップＳ５０４においてマイコン１０５は、撮影モード切換スイッチ４０１で固定時間記録モードが選択されているか否かを判別する。ここで、固定時間記録モードが選択されていればステップＳ５０５に進み、固定時間記録モードが選択されていなければステップＳ５０７に進む。
【００５３】
ステップ５０５においては、マイコン１０５は、固定時間記録モードの一回の録画ボタン操作時にスナップムービー撮影される１シーンの予め決められた所定記録時間と、ステップＳ５０３で算出した記録可能時間とに基づいて記録可能なシーン数を算出する。記録可能なシーン数の算出方法については後述する。
【００５４】
次にステップＳ５０６においては、マイコン１０５は、ステップＳ５０５で算出した記録可能なシーン数の表示命令を表示信号生成回路１０７に送り、モニタ出力回路１０９を介して表示装置１１０に表示させる。
【００５５】
一方、ステップＳ５０７においては、マイコン１０５は、ステップＳ５０３で算出した記録可能時間の表示命令を表示信号生成回路１０７に送り、モニタ出力回路１０９を介して表示装置１１０に表示させる。
【００５６】
ここで、ステップＳ５０３で処理される記録可能時間の算出方法について説明する。ここでは、第１の実施の形態で説明した方法と同じ方法を用いることが可能である。また、ここでは、ステップＳ５０２で検出したバッテリーの残容量が８００ｍＡｈとし、その時のバッテリー電圧が７．４Ｖであったとして説明する。この場合、電力時間の残容量は、上記で示した式（１）から５．９２Ｗｈとなる。
【００５７】
そして、このときの消費電力を、第１の実施の形態と同様の３．８Ｗとすると、現在のバッテリーによる記録可能時間は、上記で示した式（２）から算出でき、１．５６ｈ（時間）となる。
【００５８】
なお、消費電力は録画時の記録画質モード等によって異なった値になる。従って、バッテリーの残容量から式（１）、式（２）を用いて算出される記録可能時間は、撮影時に設定されている記録画質モードが異なれば、異なる時間が算出される。
【００５９】
次にステップＳ５０５で処理される記録可能なシーン数の算出方法について説明する。ここでも、第１の実施の形態と同様に、ステップＳ５０３で算出した記録可能時間が１．５ｈであったとし、固定時間記録モードの一回の録画操作で記録されるスナップムービーの１シーンの所定記録時間を５秒とする。この場合、記録可能なシーン数は、上記で示した式（３）から１０８０シーンと算出できる。
【００６０】
なお、記録可能なシーン数の算出において、式（３）では１シーンの所定記録時間を基準に算出する方法を示した。しかし、実際の撮像装置の使用状況を考慮すると、録画せずに録画待機状態で保持されている時間もある。そこで、記録可能なシーン数の算出は、固定時間記録の間の待機時間を考慮して、上記で示した式（４）を用いた算出方法にすることも可能である。これらの事項は、第１の実施の形態と同様である。
【００６１】
なお、待機時間の設定については、予め数秒間から数分間程度の値（固定値）を任意に設定しておいてもよいし、撮影者の撮影状況に基づいて、後から任意に決定してもよい。ここで、ユーザの撮影状況に基づいて後から設定する方法としては、本システム使用時に記録停止している録画待機時間をマイコン１０５で計測し、計測した待機時間から平均値あるいは最大値等を求め、式（４）の待機時間として設定することが可能である。なお、式（４）において、待機時間の値を０とすれば式（３）と同等になることは明白である。これらの事項は、第１の実施の形態と同様である。
【００６２】
図６は、本実施の形態に係る撮像装置おいて記録可能時間を表示した表示画像の一例を示した図である。本実施の形態では、撮影モード切換スイッチによって固定時間記録モードが選択された場合には、第１の実施の形態で示した図３の表示画像のように記録可能なシーン数が表示される。一方、通常記録モードが選択された場合には、図６の表示画像のように記録可能時間が表示される。
【００６３】
以上、本実施の形態では、録画ボタン１０６の操作で録画開始と停止とを切り替える通常記録モードと、所定時間の経過後に自動で記録停止する固定時間記録モードとの撮影モード切換スイッチ４０１を備えた。そして、選択されている撮影モードに応じて、バッテリー１１１の残量時間表示を、記録可能時間又は記録可能なシーン数で表示するようにした。これにより、ユーザは現在のバッテリー１１１であと何分の録画ができるか、又はあと何回のスナップムービー撮影ができるかを容易に確認することが可能となった。
【００６４】
（第３の実施の形態）
次に、本発明の第３の実施の形態について説明する。上述した第２の実施の形態では、録画ボタンが操作される毎に記録と記録停止とを交互に切り替える通常記録モードと、録画ボタン操作によって記録開始をしてから予め決められた所定時間後に自動で記録停止する固定時間撮影モードとを切り換えられるようにした。そして、固定時間記録モードが選択された場合には記録可能なシーン数を、通常記録モードが選択された場合には記録可能時間を表示する撮像装置について説明した。第３の実施の形態では、第２の実施の形態と同システムにおいて、選択されている撮影モードによらず記録可能なシーン数と記録可能時間とを共に表示する方法について説明する。なお、本実施の形態に係る撮像装置のシステム構成は、第２の実施の形態と同様のため説明は省略し、以下の説明では、同符号を用いて説明をする。
【００６５】
図７は、本実施の形態に撮像装置においてシステム全体を制御するマイコン１０５の動作を説明するフローチャートである。
【００６６】
ステップ７０１は本フローの開始を示している。本フローは、例えば映像の垂直同期信号等、一定の周期タイミングで繰返し実行処理される。
【００６７】
処理が実行されると先ずステップＳ７０２においてマイコン１０５は、バッテリー１１１の残容量を検出する。
【００６８】
次にステップＳ７０３においてマイコン１０５は、ステップ７０２で検出したバッテリーの残容量から記録可能時間を算出する。記録可能時間の算出方法は、上述した第１の実施の形態及び第２の実施の形態と同様の方法を用いることができる。
【００６９】
次にステップＳ７０４においてマイコン１０５は、固定時間記録モードの一回の録画ボタン操作時にスナップムービー撮影される１シーンの所定記録時間とステップＳ７０３で算出した記録可能時間とに基づき固定時間記録モードで記録可能なシーン数を算出する。記録可能なシーン数の算出方法については、上述した第１の実施の形態及び第２の実施の形態と同様の方法を用いることができる。
【００７０】
次にステップＳ７０５においてマイコン１０５は、ステップＳ７０４で算出した記録可能なシーン数及びステップＳ７０３で算出した記録可能時間の表示命令を表示信号生成回路１０７に送り、モニタ出力回路１０９を介して表示装置１１０に表示させる。
【００７１】
図８は、本実施の形態に係る撮像装置において記録可能なシーン数と記録可能時間とを同時に表示した表示画像の一例を示した図である。
【００７２】
以上、本実施の形態では、録画ボタン１０６の操作で記録開始と停止とを切り換える通常記録モードと、所定時間後に自動で記録停止する固定時間記録モードとの撮影モード切換スイッチ４０１を備えた。そして、選択されている撮影モードによらず、バッテリー１１１の残量時間表示を、記録可能時間と記録可能なシーン数とで共に表示するようにした。これにより、ユーザは選択している撮影モードによらず、現在のバッテリー１１１であと何分の録画ができるか、またあと何回のスナップムービー撮影ができるかを同時に容易に確認することが可能となった。
【００７３】
なお、本発明を実現するために、上述した実施の形態の機能を実現するソフトウェアのプログラムコード（コンピュータプログラム）を記録した記憶媒体を用いてもよい。この場合には記憶媒体をシステム或いは装置に供給し、そのシステム或いは装置のコンピュータ（又はＣＰＵやＭＰＵ）が記憶媒体に格納されたプログラムコードを読み出し実行することによって本発明の目的が達成される。
【００７４】
この場合、記憶媒体から読み出されたプログラムコード自体が上述した実施の形態の機能を実現することになり、プログラムコード自体及びそのプログラムコードを記憶した記憶媒体は本発明を構成することになる。
【００７５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００７６】
また、そのプログラムコードの指示に基づき、コンピュータ上で稼動しているＯＳ（基本システム或いはオペレーティングシステム）等が実際の処理の一部又は全部を行う場合も含まれることは言うまでもない。
【００７７】
さらに、記憶媒体から読み出されたプログラムコードが、コンピュータに挿入された機能拡張ボードやコンピュータに接続された機能拡張ユニットに備わるメモリに書き込まれてもよい。この場合には、書き込まれたプログラムコードの指示に基づき、その機能拡張ボードや機能拡張ユニットに備わるＣＰＵ等が実際の処理の一部又は全部を行ってもよい。
【図面の簡単な説明】
【００７８】
【図１】本発明の第１の実施の形態に係る撮像装置のシステム構成を示すブロック図である。
【図２】本発明に第１の実施の形態に係る撮像装置の、固定時間記録モード、すなわちスナップムービー撮影モードにおいて、記録可能なシーン数を算出及び表示する動作について説明するフローチャートである。
【図３】本発明の第１の実施の形態に係る撮像装置において録画可能なシーン数をモニタ表示した表示画像の一例を示した図である。
【図４】本発明の第２の実施の形態に係る撮像装置のシステム構成を示すブロック図である。
【図５】本発明の第２の実施の形態に係る撮像装置において、通常記録モード又は固定時間記録モードに応じて、記録可能時間又は記録可能なシーン数を算出及び表示する動作について説明するフローチャートである。
【図６】本発明の第２の実施の形態に係る撮像装置おいて録画可能時間を表示した表示画像の一例を示した図である。
【図７】本発明の第３の実施の形態に撮像装置においてシステム全体を制御するマイコン１０５の動作を説明するフローチャートである。
【図８】本発明の第３の実施の形態に係る撮像装置において録画可能シーン数と録画可能時間とを同時に表示した表示画像の一例を示した図である。
【図９】従来のバッテリー残容量の表示の例を示した図である。
【符号の説明】
【００７９】
１０１  レンズ
１０２  撮像素子
１０３  カメラ映像信号生成回路
１０４  記録部
１０５  マイクロコンピュータ（マイコン）
１０６  録画ボタン
１０７  表示信号生成回路
１０８  ミックス回路
１０９  モニタ出力回路
１１０  表示装置
１１１  バッテリー
４０１  撮影モード切換スイッチ
【図１】
2010124143.tif 000003
【図２】
2010124143.tif 000004
【図３】
2010124143.tif 000005
【図４】
2010124143.tif 000006
【図５】
2010124143.tif 000007
【図６】
2010124143.tif 000008
【図７】
2010124143.tif 000009
【図８】
2010124143.tif 000010
【図９】
2010124143.tif 000011